(57)【要約】【課題】入浴介助用車椅子において、被介護者の前方へのずれを防止するためにチルト機能を付加し、さらにコンパクトに折り畳みのできる車椅子を安価に提供すること【解決手段】車体フレームと背受フレームと座部フレームをそれぞれ回動自在に枢着し、背受フレーム下部に角度設定プレートとロックプレートを揺動自在に枢着し、該角度設定プレート内の溝部に係合可能なピンを車体フレーム側に止着し、さらに角度設定プレート後部にペタル部材を固着することにより前記ピンと溝部の係合状態を解除可能に構成するとともに、ロックプレートに設けた切欠き部が相対的にピンをチルト範囲でのみ移動可能とするとともに、座部フレームの上方回動に連動して前記ロックプレートによるロック状態を解除し、ピンが折りたたみ状態となる溝部に移動可能に構成した。【選択図】　　　　図１
2004097450.tif 000002
【特許請求の範囲】
【請求項１】
前輪及び後輪を具備した車体フレームに背受フレームを前後回動自在に枢着し、該背受フレームの上下略々中間部に座部フレームを上方回動自在に軸着し、前記背受フレーム下部に切欠き溝と複数の溝部を一体的に形成した角度設定プレートと矩形状の切欠き部を備えたロックプレートを揺動自在に支持し、前記溝部に係脱可能なピンを前記車体フレーム側に止着し、該ピンが前記角度設定プレートの溝部と係合することによって車体フレームに対する背受フレームと座部フレームの角度を保持するよう構成するとともに、前記ロックプレート前端部が角度設定プレートに接する方向に付勢することによって通常の状態においては前記ロックプレートの切欠き部内に位置する角度設定プレートの溝部及び切欠き溝内をピンが相対的に移動可能な状態となり、角度設定プレート後部に固着したペタルの操作によりピンと溝部の係合状態が解除され、ピンが相対的に他の溝部に移動可能な状態となり所望のチルト角度に変更可能に構成されたチルト手段を備えるとともに、前記座部フレームとロックプレート後端部を作動杆によって連結し、座部フレームの上方回動に連動して前記ロックプレートが上方回動し、該ロックプレートの切欠き部によるロックが解除され角度設定プレート内の切欠き溝及び溝部の全範囲においてピンが相対的に移動可能となり、さらにロックプレートの回動により角度設定プレートを上方回動しピンと溝部の係合を解除することによって、前記背受フレームが前方回動可能となり折りたたみできるよう構成されたことを特徴とする入浴介助用の車椅子。
【発明の詳細な説明】
【０００１】
【発明が属する技術分野】
本発明は、入浴介助に使用する車椅子のチルト手段及び折りたたみ機構に関するものである。
【０００２】
【従来の技術】
入浴介助に使用する車椅子には、座部と背もたれ部を有する座席部と前輪部と後輪部と転倒防止用のアーム部により形成され、後輪部に座席部を回動可能に支持する座席支持部を形成し、前輪部に座席部を受ける座席受部を形成している。さらに、後輪部にはアーム部を回動可能に支持するアーム支持部を形成し、前輪部と後輪部間に回動可能に支持し回動を固定する回動固定部を形成している。そして、座席部とアーム部間に、座部を水平状態にすべく付勢する付勢手段を形成するとともに座席部を所定状態に固定する付勢固定部を形成している。これによって極めて手軽に座席部が傾斜、昇降し、後方への転倒防止もできる車椅子がある（例えば、特許文献１参照）。
【０００３】
【特許文献１】
特開平７−３１６５６号公報
【０００４】
しかしながら、上記従来の車椅子には折りたたみの機能がなく、収納スペースが広く必要であるという欠点があった。
さらに、座席部の傾斜を行うために使用される付勢手段が比較的高価であり、安価な車椅子を提供するための障害となってしまう恐れがある。
【０００５】
【発明が解決しようとする課題】
そこで、本願発明が解決しようとする問題点は、入浴介助を目的とする車椅子において被介護者の洗体を行う際に、被介護者の前方へのずれを防止するためにチルト機能を付加するとともに、この車椅子を使用しないときにはコンパクトに折りたたみできる折りたたみ機能を備えた車椅子を安価に提供することである。
【０００６】
【課題を解決するための手段】
本発明は、前輪及び後輪を具備した車体フレームに背受フレームを前後回動自在に枢着し、該背受フレームの上下略々中間部に座部フレームを上方回動自在に軸着し、前記背受フレーム下部に切欠き溝と複数の溝部を一体的に形成した角度設定プレートと矩形状の切欠き部を備えたロックプレートを揺動自在に支持し、前記溝部に係脱可能なピンを前記車体フレーム側に止着し、該ピンが前記角度設定プレートの溝部と係合することによって車体フレームに対する背受フレームと座部フレームの角度を保持するよう構成するとともに、前記ロックプレート前端部が角度設定プレートに接する方向に付勢することによって通常の状態においては前記ロックプレートの切欠き部内に位置する角度設定プレートの溝部及び切欠き溝内をピンが相対的に移動可能な状態となり、角度設定プレート後部に固着したペタルの操作によりピンと溝部の係合状態が解除され、ピンが相対的に他の溝部に移動可能な状態となり所望のチルト角度に変更可能に構成されたチルト手段を備えるとともに、前記座部フレームとロックプレート後端部を作動杆によって連結し、座部フレームの上方回動に連動して前記ロックプレートが上方回動し、該ロックプレートの切欠き部によるロックが解除され角度設定プレート内の切欠き溝及び溝部の全範囲においてピンが相対的に移動可能となり、さらにロックプレートの回動により角度設定プレートを上方回動しピンと溝部の係合を解除することによって、前記背受フレームが前方回動可能となり折りたたみできるよう構成されたことを最も主要な特徴とする。
【０００７】
請求項１記載の発明によれば、角度設定プレートの後部に固着されたペタル部材を踏み込むことによって、ロックプレートの矩形状の切欠き部内に位置する角度設定プレートの溝部及び切欠き溝内でのみピンが相対的に移動可能な状態となっており、誤って折りたたまれる危険性がない。このように簡単な操作で安全にチルトでき、被介護者の背中などを洗う際には被介護者が前方へ滑り落ちる危険性がない。さらに、この車椅子を折りたたむには座部フレームを上方回動させ、ロックプレートによるロックを解除しなければならず、乗車している状態では折りたたむことができないよう構成されており、誤動作させる恐れがない。すなわち、簡単な構成でありながら、非常に安全な車椅子であるという効果を奏する。
【０００８】
【発明の実施の形態】
つぎに、本発明の実施形態に係る入浴介助を目的とする車椅子１について図面に基づいて説明する。
本発明の車椅子１は、第１図乃至第３図に示すように、主として前輪２，２及び後輪３，３を具備した車体フレーム４と、この車体フレーム４に回動自在に枢着される背受フレーム５と、この背受フレーム５に回動自在に枢着される座部フレーム６と、前記背受フレーム５及び車体フレーム４間に具備されるチルト手段７及び、座部フレーム６に設けた折りたたみ手段（チルト範囲のロック解除手段）８とから主に構成されている。
【０００９】
まず、上記車体フレーム４について詳述する。この車体フレーム４は、平面視において略々コ字状に曲折されたフレームパイプ９の前端部に前輪取付ボス１０，１０を固着し、さらに該取付ボス１０，１０前面にステップ支持パイプ１１，１１を固着している。また、フレームパイプ９の前後方向やや後方寄りに後輪取付ボス１２，１２を固着され、さらに、フレームパイプ９の前後方向略々中間部には左右方向の補強パイプ１３が固着され、この補強パイプ１３には背受フレーム５の支持部材となる背受支持プレート１４，１４がそれぞれ固着されている。この背受支持プレート１４には空孔部１４ａが穿たれており、後述する背受フレーム５の取付部となる。そして、前記前輪取付ボス１０，１０には、旋回及び転動自在なキャスター型の前輪２，２が螺着され、後輪取付ボス１２，１２には後輪３，３を転動自在に支承している。さらに、ステップ支持パイプ１１，１１にはステップ１５，１５が軸承されている。
【００１０】
そして、前記背受フレーム５は左右方向の横パイプ１６に縦パイプ１７，１７を離間させ固着し、さらに上端部にはハンドルパイプ１８を固着したもので、縦パイプ１７，１７の略々中間部には後述する座部フレーム６を枢着する筒体１９，１９が固着されている。さらに、この筒体１９，１９には、それぞれテスリ２０，２０の回動範囲を規制する円弧状の空孔部２１ａを備えたプレート２１が固着されている。
なお、２２，２２はグリップで、２３は背受マットである。
このように構成された背受フレーム５は、上記背受支持プレート１４，１４間に配され、ピン２４により回動自在に枢支されている。
【００１１】
次に、上記背受フレーム５の筒体１９，１９間に回動自在に取り付けられる座部フレーム６について説明する。この座部フレーム６は平面視において、略々矩形状となる座席部２５が形成されるように座部パイプ２５ａ，２５ｂを固着してなるものである。詳述すると、この座部パイプ２５ａ，２５ｂは図示省略しているが、平面視において略々矩形状で後方中間部を開放した座部パイプ２５ａに、側面視において略々Ｌ字状に曲折した座部パイプ２５ｂ，２５ｂを固着したものである。そして、座部パイプ２５ｂ，２５ｂの後方上端部に基部パイプ２６が固着され、前記筒体１９，１９及び該基部パイプ２６にピン２７を挿通することによって座部フレーム６が回動自在となるよう枢着されている。なお、背受フレーム５の縦パイプ１７，１７と座席部２５を形成する座部パイプ２５ａ後端面の接触によって座席部２５の下方回動が規制されるよう構成されている。
なお、この座部フレーム６の座席部２５上には座部マット２８が止着されている。
【００１２】
なお、上記テスリ２０，２０は、上記筒体１９，１９に挿通止着されており、このテスリ２０に固着されているピン２０ａが上記プレート２１の空孔部２１ａ内を移動する範囲において回動自在に構成されている。
【００１３】
上述のように、それぞれが回動自在に構成された車体フレーム４と、背受フレーム５と、座部フレーム６の間には、チルト手段７が設けられ、車体フレーム４に対して背受フレーム５と座席フレーム６が一定角度を保持した状態で前後に傾倒可能に構成されている。
このチルト手段７は、上記背受フレーム５の横パイプ１６に固着されたＵ字状取付プレート２９を備えている。また、車体フレーム４の補強パイプ１３には空孔部３０ａが穿たれたプレート３０が固着されている。そして、前記Ｕ字状取付プレート２９内に、角度設定プレート３１を揺動自在にピン３２により枢着している。この角度設定プレート３１は、後部に空孔部３１ａが穿たれ、その前方部には切欠き溝３１ｂを穿つとともに、前記プレート３０の空孔部３０ａに止着されるピン３３が嵌入可能な溝部３１ｃ，３１ｄ，３１ｅが前記切欠き溝３１ｂと一体的に形成されたものであり、空孔部３１ａ及び前記Ｕ字状取付プレートにピン３２を挿通固定して、回動自在としたものである。
そして、上記角度設定プレート３１の後端部には、ペタル部材３４が固着されており、該ペタル部材の操作により、ピン３３と溝部３１ｃ，３１ｄの係合が解除可能に構成されている。
【００１４】
次に、折りたたみ手段８について説明する。この折りたたみ手段８は上述したチルト手段７を利用するもので、座部フレーム６の前方部を持ち上げることによって角度設定プレート３１の溝部３１ｃあるいは溝部３１ｄとピン３３との係合を解除し、背受フレーム５を前方回動自在とし、折りたたみできる構成としたものであるとともに、チルト操作を行う際に誤って背受フレームが前方回動することを防止するチルトロック機能を備えたものである。
詳述すると、上記チルト手段７を構成する角度設定プレート３１とＵ字状取付プレート２９間には、略々コ字状で側面視において下方開放した切欠き部３５ａが形成されたロックプレート３５を配し、ピン３２によって回動自在に枢支される。なお、前記切欠き部３５ａは上記角度設定プレート３１の溝部３１ｃ，３１ｄと切欠き溝３１ｂ間、すなわちチルト操作する際にピン３３が相対的に移動する範囲を切り欠いたもので、該切欠き部の前端部がストッパー部となり、チルト操作時に誤って背受フレーム５が前方に回動させないための規制部となっている。
なお、該ロックプレート３５の後部上面とＵ字状取付プレート２９間にはスプリング３６が張設されており、ロックプレート３５の前端部が角度設定プレート３１に接する方向に付勢している。
【００１５】
つぎに、上記ロックプレート３５のロックの解除方法について説明する。上記座部フレーム６の基部パイプ２６後端面に軸受部材３７が固着され、ロックプレート３５後部にはピン３８及びカラー３９が固着されている。このカラー３９には作動杆４０が摺動自在に挿通されるとともに、軸受部材３７側を作動杆４０が回動自在に挿通固定されている。さらに、作動杆４０のやや下方寄りには凸部４０ａが設けられており、前記カラー３９と凸部４０ａ間にスプリング４１が挿通されている。
【００１６】
つぎに、上述した入浴介助用の車椅子の作用について説明する。まず、被介護者が当該車椅子に乗車した通常の状態をピン３３が溝部３１ｄに係合した状態とする。この状態で被介護者の洗体を行う。そして、被介護者の背中を洗う際には、一般的にテスリ２０に上半身を寄りかからせ、背中と背受フレーム５及び背受マット２３との間に隙間をとる。この状態では被介護者が前方へ滑り落ちる危険性があるため、チルト操作することにより座部フレームに角度をつけることによって被介護者の滑りを防止することができる。この操作方法は、ペタル部材３４を踏み込むことによって、角度設定プレート３１の前方部を上方回動させ、ピン３３と溝部３１ｄとの係合を解除した後、背受フレーム５を支えながら後方へ傾倒させれば溝部３１ｃとピン３３が係合し、座部フレーム６と背受フレーム５からなる座席部が後方傾倒した状態で保持される。（第４図及び第７図参照）
逆に、チルトした状態から通常の状態に戻す場合にも、ペタル部材３４を踏み込み溝部３１ｃとピン３３との係合を解除した後、背受フレーム５を前方回動させれば、ピン３３がロックプレート３５の切欠き部３５ａの前端面に接触するまで背受フレーム５を起すことができ、この状態でペタル部材３４から足を放しておけば自然に溝部３１ｄとピン３３が係合する。
このとき、ロックプレート３５前端部はスプリング３６によって付勢されており角度設定プレート３１に接した状態のまま回動するので、折りたたむ状態まで背受フレーム５を前方回動することはできない。すなわち、チルト操作する際には、誤って折りたたまる恐れがなく、容易な操作で安全にチルト操作を行うことができる。
【００１７】
つぎに、折りたたみの操作について説明する。折りたたむ際には、座部フレーム６の前部を上方回動することによって、軸受部材３７が下方回動し、作動杆４０がカラー３９に対して下方へ摺動する。そして、座部フレーム６を一定角度以上回動させると、スプリング３６の反発力によってロックプレート３５がピン３２を回動中心として前方部が上方回動する。このとき、ロックプレート３５の後部と角度設定プレート３１が接するまで回動されると第８図に示すように溝部３１ｅまでの切欠き溝３１ｂをピン３３が相対的に移動可能な状態となり、背受フレーム５を前方回動させることができる。折りたたんだ状態が第５図に示す状態であり、狭い収納場所であっても何ら問題なく収納しておくことができる。
そして、この状態から使用状態に戻す際には、ペタル部材３４を踏み込み溝部３１ｅとピン３３の係合を解除し、背受フレーム５を後方回動するだけでよい。背受フレーム５を後方回動すると、ピン３３が相対的に切欠き溝３１ｂ内を移動し、ロックプレート前端部の斜部に接触し、ロックプレートが上方回動され、溝部３１ｃあるいは溝部３１ｄにピン３３が係合するよう構成されている。
【００１８】
【発明の効果】
請求項１の発明によれば、角度設定プレートの後部に固着されたペタル部材を踏み込むことによって、ロックプレートの矩形状の切欠き部内に位置する角度設定プレートの溝部及び切欠き溝内でのみピンが相対的に移動可能な状態となっており、誤って折りたたまれる危険性がない。このように簡単な操作で安全にチルトでき、被介護者の背中などを洗う際には被介護者が前方へ滑り落ちる危険性がない。さらに、この車椅子を折りたたむには座部フレームを上方回動させ、ロックプレートによるロックを解除しなければならず、乗車している状態では折りたたむことができないよう構成されており、誤動作させる恐れがない。すなわち、簡単な構成でありながら、非常に安全な車椅子であるという効果を奏する。
【図面の簡単な説明】
【図１】本発明に係る入浴介助用の車椅子の全体側面図
【図２】その全体正面図
【図３】その全体背面図
【図４】チルトさせた状態を示す全体側面図
【図５】折り畳んだ状態を示す全体側面図
【図６】チルト手段及び折り畳み機構を示す要部拡大側面図
【図７】チルト手段の作用説明図
【図８】折りたたみ手段の作用説明図
【符号の説明】
１　　車椅子
２　　前輪
３　　後輪
４　　車体フレーム
５　　背受フレーム
６　　座部フレーム
７　　チルト手段
８　　折りたたみ手段（ロック解除手段）
３１　角度設定プレート
３１ｂ　切欠き溝
３１ｃ，３１ｄ，３１ｅ　溝部
３３　ピン
３４　ペタル部材
４０　作動杆
【図１】
2004097450.tif 000003
【図２】
2004097450.tif 000004
【図３】
2004097450.tif 000005
【図４】
2004097450.tif 000006
【図５】
2004097450.tif 000007
【図６】
2004097450.tif 000008
【図７】
2004097450.tif 000009
【図８】
2004097450.tif 000010